(57)【特許請求の範囲】
【請求項１】
同軸ケーブルはコア線の絶縁被覆層および最外周層のシースとなる絶縁被覆層をいずれもノンハロゲン系樹脂で成形し、
ハロゲン元素を含む樹脂に可塑剤が添加された組成物から成形されている絶縁被覆層で芯線を被覆した一般電線と前記同軸ケーブルとが接触可能に集束される領域では、前記同軸ケーブルまたは前記一般電線のいずれか一方の外周面に前記一般電線の可塑剤が前記同軸ケーブルに移行するのを遮断できる非透過性を有する樹脂シートまたは樹脂テープを巻き付け、
１本または複数本の前記同軸ケーブルと、絶縁被覆層がノンハロゲン系樹脂で成形されると共に可塑剤を含まない一般電線とを、前記非透過性を有する樹脂シートまたは樹脂テープを介さずに集束している同軸ケーブルの保護構造。
【請求項２】
前記一般電線のハロゲン元素を含む絶縁被覆層は塩化ビニル系樹脂からなり、
前記非透過性を有する樹脂シートまたは樹脂テープはＰＥＴ（ポリエチレンテレフタレート）、ポリアミド、ポリカーボネート、ＰＢＴ（ポリブチレンテレフタレート）またはナイロンのいずれか一つからなる請求項１に記載の同軸ケーブルの保護構造。
【請求項３】
前記非透過性を有する樹脂シートまたは樹脂テープで同軸ケーブルまたは一般電線を被覆して両者を遮断する領域では、該領域の両端を含む所要位置に部分的に粘着テープを巻き付け、または前記樹脂シートまたは樹脂テープに粘着剤を塗布又は両面接着テープを貼着して巻き付けている請求項１または請求項２に記載の同軸ケーブルの保護構造。
【請求項４】
前記同軸ケーブルが車両に配索されるマルチメディア用コードとして用いられ、一般電線からなる電源線または一般電線からなるワイヤハーネスと部分的に集束されるものである請求項１乃至請求項３のいずれか１項に記載の同軸ケーブルの保護構造。
【請求項５】
同軸ケーブルはコア線の絶縁被覆層および最外周層のシースとなる絶縁被覆層をいずれもノンハロゲン系樹脂で成形し、
ハロゲン元素を含む樹脂に可塑剤が添加された組成物から成形されている保護材が、前記同軸ケーブルに外装される領域では、前記同軸ケーブルの外周面に前記保護材の可塑剤が前記同軸ケーブルに移行するのを遮蔽できる非透過性を有する樹脂シートまたは樹脂テープを巻き付けて、前記保護材を外装し、
１本または複数本の前記同軸ケーブルと、絶縁被覆層がノンハロゲン系樹脂で成形されると共に可塑剤を含まない一般電線とを集束して、前記非透過性を有する樹脂シートまたは樹脂テープを巻き付けて被覆している同軸ケーブルの保護構造。
【請求項６】
前記ハロゲン元素を含む保護材は塩化ビニル系樹脂からなるチューブ、シートまたはテープであり、
前記非透過性を有する樹脂シートまたは樹脂テープはＰＥＴ（ポリエチレンテレフタレート）、ポリアミド、ポリカーボネート、ＰＢＴ（ポリブチレンテレフタレート）またはナイロンのいずれか一つからなる請求項５に記載の同軸ケーブルの保護構造。
【請求項７】
前記非透過性を有する樹脂シートまたは樹脂テープで前記同軸ケーブルを被覆して前記同軸ケーブルと前記保護材とを遮断する領域では、該領域の両端を含む所要位置に部分的に粘着テープを巻き付け、または前記樹脂シートまたは樹脂テープに粘着剤を塗布又は両面接着テープを貼着して巻き付けている請求項５または請求項６に記載の同軸ケーブルの保護構造。
【請求項８】
前記同軸ケーブルが車両に配索されるマルチメディア用コードとして用いられるものである請求項５乃至請求項７のいずれか１項に記載の同軸ケーブルの保護構造。
【発明の詳細な説明】
【技術分野】
【０００１】
本発明は同軸ケーブルの保護構造に関し、詳しくはハロゲンフリーの同軸ケーブルと接触可能に集束されるハロゲンフリーでない一般電線の可塑剤が前記同軸ケーブルに移行したり、ハロゲンフリーの同軸ケーブルに外装されるハロゲンフリーでない保護材の可塑剤が前記同軸ケーブルに移行したりするのを防止するものである。
【背景技術】
【０００２】
同軸ケーブルは、図６に示すように、内部導体１０１および該内部導体１０１の外周面を覆う絶縁被覆層１０２からなるコア線１０３と、コア線１０３の外周面を覆う金属編組線からなる外部導体１０４と、該外部導体１０４の外周面を覆う絶縁被覆層のシース１０５からなり、近年、環境対策の一環として、コア線１０３の絶縁被覆層１０２および最外周のシース１０５にノンハロゲン系樹脂を用いたハロゲンフリーの同軸ケーブル１００が普及している。
【０００３】
一方、車両に配索されるハロゲンフリーの同軸ケーブルは、一般電線からなるワイヤハーネスと部分的に集束して配索されたり、周辺部材との干渉を防止するチューブ状やシート状の保護材が所要箇所に外装されたりする場合が多く、前記一般電線や保護材がハロゲンフリーでない場合、具体的には、前記一般電線の絶縁被覆層や保護材がポリ塩化ビニル（ＰＶＣ）などハロゲン元素を含む樹脂に可塑剤が添加された組成物からなる場合には、該組成物に含まれる可塑剤が隣接するハロゲンフリーの同軸ケーブル１００に移行してコア線の絶縁被覆層１０２やシース１０５の劣化を進めてしまうという問題がある。その結果、シース１０５やコア線の絶縁被覆層１０２の電気特性や機械特性が悪化するおそれがある。
【０００４】
一方、特開２００９−１４６７０４号公報（特許文献１）では、図７に示すように、コア線１１３の内部導体１１１を被覆する絶縁被覆層１１２の外周面に、合成樹脂製フィルムの片面もしくは両面に金属箔をラミネートしたシールドテープ１１４を巻き付けると共に、該シールドテープ１１４の外周に金属編組線からなる外部導体１１５を設け、該外部導体１１５の外周をシース１１６で被覆した同軸ケーブル１１０が開示されている。ハロゲンフリーの同軸ケーブル１００においても、前記のような金属箔のシールドテープ１１４をコア線１０３の絶縁被覆層１０２と金属編組線からなる外部導体１０４との間に挟み込むことで、ハロゲンフリーでない一般電線の絶縁被覆層や保護材に含まれる可塑剤が同軸ケーブル１００のコア線１０３の絶縁被覆層１０２まで移行することは防止可能である。しかし、前記シールドテープ１１４を追加したハロゲンフリーの同軸ケーブル１００を用いることはコスト増大につながるうえ、同軸ケーブル１００の最外周のシース１０５への可塑剤の移行は防止できず、シース１０５の劣化の進行を抑えにくいという問題がある。
【先行技術文献】
【特許文献】
【０００５】
【特許文献１】特開２００９−１４６７０４号公報
【発明の概要】
【発明が解決しようとする課題】
【０００６】
本発明は前記問題に鑑みてなされたもので、ハロゲンフリーの同軸ケーブルと接触可能に集束されるハロゲンフリーでない一般電線に含まれる可塑剤が前記同軸ケーブルに移行したり、ハロゲンフリーの同軸ケーブルに外装されるハロゲンフリーでない保護材に含まれる可塑剤が前記同軸ケーブルに移行したりするのを防止して、同軸ケーブルのコア線の絶縁被覆層および最外周のシースの劣化を簡単な構造で抑制できることを課題としている。
【課題を解決するための手段】
【０００７】
前記課題を解決するため、第１の発明では、同軸ケーブルはコア線の絶縁被覆層および最外周層のシースとなる絶縁被覆層をいずれもノンハロゲン系樹脂で成形し、
ハロゲン元素を含む樹脂に可塑剤が添加された組成物から成形されている絶縁被覆層で芯線を被覆した一般電線と前記同軸ケーブルとが接触可能に集束される領域では、前記同軸ケーブルまたは前記一般電線のいずれか一方の外周面に前記一般電線の可塑剤が前記同軸ケーブルに移行するのを遮断できる非透過性を有する樹脂シートまたは樹脂テープを巻き付け、
１本または複数本の前記同軸ケーブルと、絶縁被覆層がノンハロゲン系樹脂で成形されると共に可塑剤を含まない一般電線とを、前記非透過性を有する樹脂シートまたは樹脂テープを介さずに集束している同軸ケーブルの保護構造を提供している。
【０００８】
前記構成によれば、互いに接触可能に集束される所要領域のハロゲンフリーの前記同軸ケーブルまたはハロゲンフリーでない前記一般電線の外周面に、前記一般電線の可塑剤の移行を遮断できる非透過性を有する樹脂シートまたは樹脂テープを巻き付けるだけで、前記一般電線から前記同軸ケーブルへの可塑剤の移行が防止され、簡単な構造で前記同軸ケーブルのコア線の絶縁被覆層およびシースの劣化を効果的に抑制することができる。
なお、集束する前記同軸ケーブルおよび前記一般電線がそれぞれ複数本ある場合には、前記非透過性を有する樹脂シートまたは樹脂テープを、前記複数本の同軸ケーブルの外周面または前記複数本の一般電線の外周面に集束状態で巻き付けることが好ましい。
【０００９】
また、前記のように、同軸ケーブルと集束する一般電線の中に、絶縁被覆層がノンハロゲン系樹脂で成形され可塑剤を含まないハロゲンフリーの一般電線が混在している場合、１本または複数本の前記同軸ケーブルと前記ハロゲンフリーの一般電線とを、前記非透過性を有する樹脂シートまたは樹脂テープを介さずに集束している。
【００１０】
前記のように、１本または複数本の前記同軸ケーブルと前記ハロゲンフリーの一般電線とを前記非透過性を有する樹脂シートまたは樹脂テープを介さずに集束することで、前記ハロゲンフリーの一般電線と前記ハロゲンフリーでない一般電線とが前記樹脂シートまたは樹脂テープで遮断される。よって、ハロゲンフリーでない一般電線の可塑剤がハロゲンフリーの一般電線に移行して該電線の絶縁被覆層を劣化させることも同時に抑制できる。
【００１１】
前記一般電線のハロゲン元素を含む絶縁被覆層は塩化ビニル系樹脂からなり、
前記非透過性を有する樹脂シートまたは樹脂テープはＰＥＴ（ポリエチレンテレフタレート）、ポリアミド、ポリカーボネート、ＰＢＴ（ポリブチレンテレフタレート）、ナイロン等であることが好ましい。
【００１２】
前記ＰＥＴやポリアミド、ポリカーボネート、ＰＢＴ、ナイロンは結晶性が高く、一般電線の絶縁被覆層として一般的に用いられているポリ塩化ビニル等の塩化ビニル系樹脂に含まれる可塑剤の透過を効果的に抑制して、ハロゲンフリーの同軸ケーブルへの可塑剤の移行を遮断することができる。
一方、前記同軸ケーブルのコア線の絶縁被覆層および最外周のシースを形成するノンハロゲン系樹脂としては、例えば、ポリエチレン、ポリプロピレン、プロピレン−エチレン共重合体等のオレフィン樹脂が挙げられる。
【００１３】
前記非透過性を有する樹脂シートまたは樹脂テープで同軸ケーブルまたは一般電線を被覆して両者を遮断する領域では、該領域の両端を含む所要位置に部分的に粘着テープを巻き付け、または前記樹脂シートまたは樹脂テープに粘着剤を塗布又は両面接着テープを貼着して巻き付けていることが好ましい。
なお、前記のように前記非透過性を有する樹脂シートまたは樹脂テープに粘着剤を塗布又は両面接着テープを貼着する場合、該粘着剤又は両面接着テープは可塑剤を含まないノンハロゲン系樹脂からなることが好ましい。
【００１４】
前記同軸ケーブルは車両に配索されるマルチメディア用コードとして用いられ、一般電線からなる電源線または一般電線からなるワイヤハーネスと部分的に集束される領域に、前記第１の発明を適用することが好ましい。
【００１５】
さらに、第２の発明として、同軸ケーブルはコア線の絶縁被覆層および最外周層のシースとなる絶縁被覆層をいずれもノンハロゲン系樹脂で成形し、
ハロゲン元素を含む樹脂に可塑剤が添加された組成物から成形されている保護材が、前記同軸ケーブルに外装される領域では、前記同軸ケーブルの外周面に前記保護材の可塑剤が前記同軸ケーブルに移行するのを遮蔽できる非透過性を有する樹脂シートまたは樹脂テープを巻き付けて、前記保護材を外装し、
１本または複数本の前記同軸ケーブルと、絶縁被覆層がノンハロゲン系樹脂で成形されると共に可塑剤を含まない一般電線とを集束して、前記非透過性を有する樹脂シートまたは樹脂テープを巻き付けて被覆している同軸ケーブルの保護構造を提供している。
【００１６】
前記構成によれば、ハロゲンフリーでない前記保護材を外装する所要領域のハロゲンフリーの前記同軸ケーブルの外周面に、前記保護材の可塑剤の移行を遮断できる非透過性を有する樹脂シートまたは樹脂テープを巻き付けるだけで、前記保護材から前記同軸ケーブルへの可塑剤の移行が防止され、同軸ケーブルのコア線の絶縁被覆層およびシースの劣化を簡単な構造で効果的に抑制することができる。
なお、前記同軸ケーブルが複数本ある場合には、前記非透過性を有する樹脂シートまたは樹脂テープを、複数本の前記同軸ケーブルを集束させた状態で巻き付けることが好ましい。
【００１７】
また、前記のように、絶縁被覆層がノンハロゲン系樹脂で成形され可塑剤を含まないハロゲンフリーの一般電線も前記同軸ケーブルと共に前記保護材で外装する必要がある場合、１本または複数本の前記同軸ケーブルと前記ハロゲンフリーの一般電線とを集束して、前記非透過性を有する樹脂シートまたは樹脂テープを巻き付けて被覆している。
【００１８】
前記のように、１本または複数本の前記同軸ケーブルと前記ハロゲンフリーの一般電線とを集束し、その集束体の外周面に前記非透過性を有する樹脂シートまたは樹脂テープを巻き付けることで、保護材の可塑剤がハロゲンフリーの一般電線に移行して該電線の絶縁被覆層を劣化させることも同時に抑制できる。
【００１９】
前記ハロゲン元素を含む保護材は塩化ビニル系樹脂からなるチューブ、シートまたはテープであり、
前記非透過性を有する樹脂シートまたは樹脂テープは、第１の発明と同様に、ＰＥＴ（ポリエチレンテレフタレート）、ポリアミド、ポリカーボネート、ＰＢＴ（ポリブチレンテレフタレート）、ナイロン等であることが好ましい。
【００２０】
前記ＰＥＴやポリアミド、ポリカーボネート、ＰＢＴ、ナイロンは結晶性が高く、保護材として一般的に用いられているポリ塩化ビニル等の塩化ビニル系樹脂に含まれる可塑剤の透過を効果的に抑制し、ハロゲンフリーの同軸ケーブルへの可塑剤の移行を遮断することができる。
【００２１】
前記非透過性を有する樹脂シートまたは樹脂テープで前記同軸ケーブルを被覆して前記同軸ケーブルと前記保護材とを遮断する領域では、該領域の両端を含む所要位置に部分的に粘着テープを巻き付け、または前記樹脂シートまたは樹脂テープに粘着剤を塗布又は両面接着テープを貼着して巻き付けていることが好ましい。
なお、前記のように前記非透過性を有する樹脂シートまたは樹脂テープに粘着剤を塗布又は両面接着テープを貼着する場合、該粘着剤又は両面接着テープは可塑剤を含まないノンハロゲン系樹脂からなることが好ましい。
【００２２】
また、前記同軸ケーブルは、第１の発明と同様、車両に配索されるマルチメディア用コードとして用いられ、該マルチメディア用コードが保護材で部分的に外装される領域に前記第２の発明を適用することが好ましい。
【発明の効果】
【００２３】
前述したように、第１の発明によれば、互いに接触可能に集束される所要領域のハロゲンフリーの同軸ケーブルまたはハロゲンフリーでない一般電線の外周面に、前記一般電線の可塑剤の移行を遮断できる非透過性を有する樹脂シートまたは樹脂テープを巻き付けるだけで、前記一般電線から前記同軸ケーブルへの可塑剤の移行が防止され、同軸ケーブルのコア線の絶縁被覆層およびシースの劣化を簡単な構造で効果的に抑制することできる。
【００２４】
また、第２の発明によれば、ハロゲンフリーでない保護材を外装する所要領域のハロゲンフリーの前記同軸ケーブルの外周面に、前記保護材の可塑剤の移行を遮断できる非透過性を有する樹脂シートまたは樹脂テープを巻き付けるだけで、前記保護材から前記同軸ケーブルへの可塑剤の移行が防止され、同軸ケーブルのコア線の絶縁被覆層およびシースの劣化を簡単な構造で効果的に抑制することができる。
【図面の簡単な説明】
【００２５】
【図１】第１の発明の実施形態の同軸ケーブルの保護構造を示し、（Ａ）は平面図、（Ｂ）はＢ−Ｂ線断面図である。
【図２】マルチメディア用コードを構成する同軸ケーブルの構造を示す説明図である。
【図３】マルチメディア用コードを構成する一般電線の構造を示す説明図である。
【図４】第１の発明の実施形態の変形例の同軸ケーブルの保護構造を示し、（Ａ）は平面図、（Ｂ）はＣ−Ｃ線断面図である。
【図５】第２の発明の実施形態の同軸ケーブルの保護構造を示し、（Ａ）は平面図、（Ｂ）はＤ−Ｄ線断面図である。
【図６】従来例を示す図である。
【図７】従来例を示す図である。
【発明を実施するための形態】
【００２６】
以下、本発明の実施形態を図面を参照して説明する。
図１乃至図３は第１の発明の実施形態を示す。本実施形態では、ラジオやデジタルテレビ等のアンプやＧＰＳや電話等の通信モジュール（図示せず）にアンテナの受信信号を伝送する２本の同軸ケーブル２と１本の一般電線８とを集束して、車両に配索されるマルチメディア用コード１を形成している。
【００２７】
マルチメディア用コード１を構成する同軸ケーブル２は、図２に示すように、軟銅線、スズメッキ軟銅線等からなる内部導体３と該内部導体３の外周面を覆う絶縁被覆層４とからなるコア線５と、コア線５の外周面を覆う軟銅線、スズメッキ軟銅線等の編組線からなる外部導体６と、外部導体６の外周面を覆う絶縁被覆層のシース７とからなり、コア線５の絶縁被覆層４および最外周のシース７はノンハロゲン系樹脂で形成してハロゲンフリーの同軸ケーブル２としている。
【００２８】
また、マルチメディア用コード１を構成する一般電線８は、図３に示すように、軟銅線、スズメッキ軟銅線等からなる芯線９と、該芯線９の外周面を覆う絶縁被覆層１０とからなり、該絶縁被覆層１０を可塑剤を含まずかつノンハロゲン系樹脂で形成してハロゲンフリーの一般電線８としている。
【００２９】
一方、本実施形態のマルチメディア用コード１は、図１に示すように、ハロゲンフリーでない複数本の一般電線１２からなるワイヤハーネス１１と部分的に集束している。具体的には、一般電線１２の芯線１３の外周面を被覆する絶縁被覆層１４をポリ塩化ビニル（ＰＶＣ）に柔軟性や加工性等を高めるためにフタル酸エステル系等の可塑剤を添加した組成物から成形している。
【００３０】
本実施形態では、前記ワイヤハーネス１１と接触可能に集束される領域Ａのマルチメディア用コード１の外周面にポリエチレンテレフタレート（ＰＥＴ）からなる非透過性樹脂テープ（以下、ＰＥＴテープという）１５を隙間なく巻き付けた後、該ＰＥＴテープ１５を巻き付けたマルチメディア用コード１と前記ワイヤハーネス１１とを粘着テープＴ等で結束している。なお、前記ＰＥＴテープ１５の片面にはノンハロゲン系樹脂からなり可塑剤を含まない粘着剤が塗布され、該粘着材によりＰＥＴテープ１５をマルチメディア用コード１の外周面に固着している。
【００３１】
前記のように、絶縁被覆層１４がＰＶＣで形成された一般電線１２からなるワイヤハーネス１１と接触可能に集束されるマルチメディア用コード１の所要領域Ａの外周面に、ＰＥＴテープ１５を巻き付けることにより、一般電線１２の絶縁被覆層１４のＰＶＣに含まれる可塑剤がＰＥＴテープ１５を透過してマルチメディア用コード１のハロゲンフリーの同軸ケーブル２や一般電線８に移行するのを防止できる。よって、同軸ケーブル２のコア線５の絶縁被覆層４とシース７、ならびに一般電線８の絶縁被覆層１０の劣化を大幅に抑制することができる。特に、前記構成によれば、一般電線１２からなるワイヤハーネス１１に接触する可能性のあるマルチメディア用コード１の所要領域だけにＰＥＴテープ１５を巻き付ければよいため、構造が簡単で製造コストも抑えることができる。
【００３２】
図４は前記実施形態の変形例を示す。本変形例では、マルチメディア用コード１と接触可能に集束される領域Ａのワイヤハーネス１１の外周面にＰＥＴテープ１６を隙間なく巻き付けた後、該ＰＥＴテープ１６を巻き付けたワイヤハーネス１１とマルチメディア用コード１とを粘着テープＴ等で結束している。
【００３３】
本変形例においても、ワイヤハーネス１１の外周面に巻き付けたＰＥＴテープ１６によって、一般電線１２の絶縁被覆層１４のＰＶＣに含まれる可塑剤がＰＥＴテープ１６を透過してマルチメディア用コード１のハロゲンフリーの同軸ケーブル２や一般電線８に移行するのを防止できる。よって、同軸ケーブル２のコア線５の絶縁被覆層４とシース７、ならびに一般電線８の絶縁被覆層１０の劣化を抑制できる。
【００３４】
なお、前記実施形態および変形例では、非透過性樹脂テープ１５、１６をマルチメディア用コード１またはワイヤハーネス１１の外周面に巻き付けているが、非透過性樹脂シートを巻き付けて粘着テープで固定してもよい。また、非透過性樹脂テープまたは樹脂シートを形成する樹脂として、ポリアミド、ポリカーボネート、ＰＢＴ、ナイロン等を用いてもよい。
【００３５】
図５は第２の発明の実施形態を示す図である。
本実施形態でも、第１の発明の実施形態と同じ構造のマルチメディア用コード１が車両に配索されるが、図５に示すマルチメディア用コード１の所要領域ＢおよびＣは、車両配索時に周辺部材と干渉して電線損傷を生じるおそれがあるため、該領域Ｂ、Ｃにハロゲンフリーでない保護材１８を外装する構成としている。まず、保護材１８を外装する前に、マルチメディア用コード１の領域ＢおよびＣの外周面にＰＥＴ樹脂からなる非透過性樹脂テープ（以下、ＰＥＴテープという）１７を巻き付け、該ＰＥＴテープ１７を巻き付けた領域Ｂおよび領域Ｃのマルチメディア用コード１に、ポリ塩化ビニル（ＰＶＣ）にフタル酸エステル系等の可塑剤を添加した組成物からなるＰＶＣ樹脂チューブを保護材１８として外装して両端を粘着テープＴで固定している。
【００３６】
前記のように、ＰＶＣ樹脂チューブからなる保護材１８を外装するマルチメディア用コードの外周面にＰＥＴテープ１７を巻き付けることにより、保護材１８のＰＶＣに含まれる可塑剤がマルチメディア用コード１のハロゲンフリーの同軸ケーブル２や一般電線８に移行するのを防止できる。よって、同軸ケーブル２のコア線５の絶縁被覆層４とシース７、ならびに一般電線８の絶縁被覆層１０の劣化を大幅に抑制することができる。特に、前記構成によれば、保護材１８を外装するマルチメディア用コード１の所要領域だけにＰＥＴテープ１７を巻き付ければよいため、構造が簡単で製造コストも抑えることができる。
【００３７】
なお、本実施形態では、保護材１８を外装するマルチメディア用コード１の外周面に非透過性樹脂テープ１７を巻き付けているが、非透過性樹脂シートを巻き付けて粘着テープで固定してもよい。また、非透過性樹脂テープまたは樹脂シートを形成する樹脂として、ポリアミド、ポリカーボネート、ＰＢＴ、ナイロン等を用いてもよい。
【符号の説明】
【００３８】
１  マルチメディア用コード
２  （ハロゲンフリーの）同軸ケーブル
４  絶縁被覆層
５  コア線
７  シース
８  （ハロゲンフリーの）一般電線
１０  絶縁被覆層
１１  ワイヤハーネス
１２  （ハロゲンフリーでない）一般電線
１４  絶縁被覆層
１５、１６、１７  非透過性樹脂テープ（ＰＥＴテープ）
１８  保護材
【図１】
0005799881.tif 000002
【図２】
0005799881.tif 000003
【図３】
0005799881.tif 000004
【図４】
0005799881.tif 000005
【図５】
0005799881.tif 000006
【図６】
0005799881.tif 000007
【図７】
0005799881.tif 000008